(57)【要約】【課題】炭素系燃料をガス化して得られた生成ガスをシフト反応器に直接供給した場合に、シフト反応触媒の表面に塩化アンモニウムが析出してもシフト反応触媒を容易に再生し、ガス化システムにおける熱効率の低下を抑制する。【解決手段】石炭１等の炭素系燃料を酸素３等の酸化剤と反応させて一酸化炭素及び水素を主成分とする生成ガスを発生させるガス化部１０と、シフト反応触媒を用いて生成ガスを水蒸気と反応させて二酸化炭素及び水素を主成分とするシフトガスに変換するシフト反応部４０とを含むガス化システムにおいて、シフト反応部４０は、シフト反応触媒を備えた少なくとも２系列のシフト反応器４１、４２を有し、シフト反応器４１、４２のうち少なくとも１系列には、生成ガスを通ガスし、他の系列のシフト反応器には、再生ガスを通ガスし、生成ガスと再生ガスとを切り替え可能とし、再生ガスは、塩化アンモニウムの沸点以上の温度に昇温してシフト反応器４１に通ガスする。【選択図】図１
2012041438.tif 000002
【特許請求の範囲】
【請求項１】
炭素系燃料を酸化剤と反応させて一酸化炭素及び水素を主成分とする生成ガスを発生させるガス化部と、シフト反応触媒を用いて前記生成ガスを水蒸気と反応させて二酸化炭素及び水素を主成分とするシフトガスに変換するシフト反応部とを含むガス化システムであって、前記シフト反応部は、前記シフト反応触媒を備えた少なくとも２系列のシフト反応器を有し、前記シフト反応器のうち少なくとも１系列には、前記生成ガスを通ガスし、他の系列の前記シフト反応器には、再生ガスを通ガスし、前記生成ガスと前記再生ガスとを切り替え可能とし、前記再生ガスは、塩化アンモニウムの沸点以上の温度に昇温して前記シフト反応器に通ガスすることを特徴とするガス化システム。
【請求項２】
前記シフト反応器に通ガスした前記再生ガスを通ガスする塩化アンモニウム除去部を含み、前記塩化アンモニウム除去部は、吸着材を備え、前記再生ガスの温度を下げて前記再生ガスに含まれる塩化アンモニウムを前記吸着材の表面に析出させ、前記再生ガスに含まれる塩化アンモニウムを除去することを特徴とする請求項１記載のガス化システム。
【請求項３】
前記再生ガスに含まれる塩化アンモニウム並びに塩化アンモニウムの熱分解で発生した塩化水素及びアンモニアを前記吸着材によって除去することを特徴とする請求項２記載のガス化システム。
【請求項４】
前記再生ガスは、窒素、二酸化炭素、前記シフトガス、又は水蒸気であることを特徴とする請求項１〜３のいずれか一項に記載のガス化システム。
【請求項５】
前記シフトガスから二酸化炭素を回収する二酸化炭素回収部と、回収した二酸化炭素を加圧する圧縮機と、加圧した二酸化炭素を貯蔵する二酸化炭素貯蔵部とを含み、前記再生ガスは、前記圧縮機の加圧によって塩化アンモニウムの沸点以上に昇温した二酸化炭素であり、前記再生ガスは、前記シフト反応器に通ガスした後、前記塩化アンモニウム除去部にて塩化アンモニウム、塩化水素及びアンモニアを除去し、前記圧縮機の上流側に戻す構成としたことを特徴とする請求項１〜３のいずれか一項に記載のガス化システム。
【請求項６】
前記シフト反応部の下流側に水洗塔を有し、前記再生ガスは、前記シフトガスであって少なくとも前記水洗塔に通ガスしたものであり、前記再生ガスは、前記シフト反応器に通ガスした後、前記塩化アンモニウム除去部にて塩化アンモニウム、塩化水素及びアンモニアを除去し、圧縮機によって加圧して前記水洗塔の下流側に戻す構成としたことを特徴とする請求項１〜３のいずれか一項に記載のガス化システム。
【請求項７】
前記再生ガスは、水蒸気であり、前記再生ガスは、前記シフト反応器に通ガスした後、前記塩化アンモニウム除去部にて塩化アンモニウム、塩化水素及びアンモニアを除去し、前記ガス化部、前記ガス化部の下流側、又は、昇温して前記シフト反応器に供給する構成としたことを特徴とする請求項１〜３のいずれか一項に記載のガス化システム。
【請求項８】
前記再生ガスは、水蒸気であり、前記シフト反応器に通ガスした前記再生ガスを冷却する熱交換器と、前記再生ガスから塩化アンモニウムを固体として回収する濃縮結晶化部を含むことを特徴とする請求項１記載のガス化システム。
【請求項９】
ガスタービンを含み、前記再生ガスは、前記ガスタービンの排ガスであることを特徴とする請求項１〜３のいずれか一項に記載のガス化システム。
【請求項１０】
前記シフト反応器の入口側及び出口側のガス組成を測定し、前記シフト反応器における一酸化炭素の二酸化炭素への転化率を計算し、前記生成ガスを通ガスする前記シフト反応器と、前記再生ガスを通ガスする前記シフト反応器とを切り替える制御部を備えたことを特徴とする請求項１〜９のいずれか一項に記載のガス化システム。
【請求項１１】
前記シフト反応器の入口側及び出口側のガス温度を測定し、これらのガス温度の差を用いて前記生成ガスを通ガスする前記シフト反応器と、前記再生ガスを通ガスする前記シフト反応器とを切り替える制御部を備えたことを特徴とする請求項１〜９のいずれか一項に記載のガス化システム。
【発明の詳細な説明】
【技術分野】
【０００１】
本発明は、ガス化システムに関する。
【背景技術】
【０００２】
炭素系燃料をガス化して得られる生成ガスは、おおよそ５０〜６０％の一酸化炭素及びおおよそ２０〜２５％の水素を含む。水素が必要な場合、この生成ガスに対し、下記反応式（１）に示すシフト反応を用い、一酸化炭素を水蒸気と反応させて水素と二酸化炭素とする。
【０００３】
ＣＯ＋Ｈ２Ｏ→ＣＯ２＋Ｈ２    …反応式（１）
シフト反応に好適な触媒としては、鉄系やコバルト系が知られている。これらの触媒を用いることにより、おおよそ３００〜４００℃でシフト反応を進めることができる。
【０００４】
ガス化炉出口のガス温度は、シフト反応に必要な温度以上とし、ガス化炉出口のガスの脱塵を行った後、そのままシフト反応器に供給することが望ましい。
【０００５】
しかし、生成ガスは、微量の塩化水素やアンモニアを含んでいるため、これらのガスがシフト反応器の触媒の表面で塩化アンモニウムとして析出し、触媒性能を低下させる。このため、シフト反応器に供給する前に水洗塔により塩化水素及びアンモニアの両方、あるいは少なくとも片方を除去することが行われている。この場合、水洗塔の出口温度は、おおよそ１００〜１５０℃であるため、シフト反応に必要な温度まで昇温する必要があり、熱効率が低下する問題があった。
【０００６】
特許文献１には、炭素含有燃料のガス化によって得られる生成ガスをガスタービンの燃料として使用するガス化設備において、生成ガスの精製、及びガスタービンから排出される排ガスの浄化を行うガス処理方法であって、生成ガスをガスタービンの燃料として導入し、ガスタービンから排出される排ガスに対して少なくとも脱硫処理を行うガス処理方法が開示されている。
【０００７】
特許文献２には、ガス化炉と乾式脱硫装置との間に、アンモニアと塩化水素とを反応させて固形分の塩化アンモニウムを生成し除去するアンモニア乾式除去装置を備えたガス化複合発電装置が開示されている。
【先行技術文献】
【特許文献】
【０００８】
【特許文献１】特開２０００−２４８２８５号公報
【特許文献２】特開平１０−３２８５３０号公報
【発明の概要】
【発明が解決しようとする課題】
【０００９】
従来のガス化システムにおいては、炭素系燃料をガス化して得られた生成ガスを水洗塔に通ガスした後、シフト反応器に供給する。この理由は、生成ガスに含まれる塩化水素及びアンモニアがシフト反応触媒の表面において塩化アンモニウムとして析出することを防止するためである。生成ガスを水洗塔に通ガスすると、生成ガスの温度が低下するため、シフト反応器に通ガスするために昇温する必要があり、熱効率が低下する問題がある。
【００１０】
塩化水素及びアンモニアの発生は、低品位の炭素系燃料をガス化した場合に多く、問題となりやすい。
【００１１】
本発明の目的は、炭素系燃料をガス化して得られた生成ガスをシフト反応器に直接供給した場合に、シフト反応触媒の表面に塩化アンモニウムが析出してもシフト反応触媒を容易に再生し、ガス化システムにおける熱効率の低下を抑制することにある。
【課題を解決するための手段】
【００１２】
本発明のガス化システムは、炭素系燃料を酸化剤と反応させて一酸化炭素及び水素を主成分とする生成ガスを発生させるガス化部と、シフト反応触媒を用いて前記生成ガスを水蒸気と反応させて二酸化炭素及び水素を主成分とするシフトガスに変換するシフト反応部とを含むガス化システムであって、前記シフト反応部は、前記シフト反応触媒を備えた少なくとも２系列のシフト反応器を有し、前記シフト反応器のうち少なくとも１系列には、前記生成ガスを通ガスし、他の系列の前記シフト反応器には、再生ガスを通ガスし、前記生成ガスと前記再生ガスとを切り替え可能とし、前記再生ガスは、塩化アンモニウムの沸点以上の温度に昇温して前記シフト反応器に通ガスすることを特徴とする。
【発明の効果】
【００１３】
本発明によれば、ガス化システムにおける生成ガスの温度がシフト反応に必要な温度以下になることがなく、生成ガスの加熱を不要とすることができ、熱効率の高いガス化システムを構成することができる。
【図面の簡単な説明】
【００１４】
【図１】再生ガスとして窒素を用いるガス化システムの実施例を示す概略構成図である。
【図２】再生ガスとして二酸化炭素を用いるガス化システムの実施例を示す概略構成図である。
【図３】再生ガスとして二酸化炭素及び水素を主成分とするシフトガスを用いるガス化システムの実施例を示す概略構成図である。
【図４】再生ガスとして水蒸気を用いるガス化システムの実施例を示す概略構成図である。
【図５】再生ガスとして水蒸気を用いるガス化システムの実施例を示す概略構成図である。
【図６】再生ガスとしてガスタービン排ガスを用いるガス化システムの実施例を示す概略構成図である。
【図７】実施例のシフト反応器の一系列を示す概略構成図である。
【発明を実施するための形態】
【００１５】
本発明は、炭素系燃料をガス化し、ガス化によって得られた生成ガスに含まれる一酸化炭素と水蒸気を反応させ、水素及び二酸化炭素を主成分とするガスを製造するシステムに関するものである。
【００１６】
製造したガスは、アンモニアなどの化学製品製造の原料として用いることができる。また、二酸化炭素を回収した後、ガスタービンや燃料電池を用いる発電設備の燃料として用いることができる。二酸化炭素を回収してガスタービンに用いることにより、地球温暖化防止に寄与することができる。
【００１７】
生成ガスに含まれる塩化水素及びアンモニアから生じる塩化アンモニウムの沸点は３３９℃である。シフト反応触媒（単に触媒ともいう。）の表面に析出した塩化アンモニウムは、３３９℃以上のガスを流通すると気化し、その一部は、塩化水素とアンモニアとに分離してガスに同伴される。これにより、触媒の表面から塩化アンモニウムを除去することができる。
【００１８】
この性質を用いれば、炭素系燃料を酸化剤によりガス化して得られた一酸化炭素及び水素を主成分とする生成ガスを、直接シフト反応器に供給した場合でも、触媒の表面に析出した塩化アンモニウムを除去することが可能となる。
【００１９】
そこで、複数個のシフト反応器を含むシフト反応部を設け、一方のシフト反応器に生成ガスを通ガスする際、他方のシフト反応器には塩化アンモニウムの沸点以上に再生ガスを通ガスし、触媒の表面に析出した塩化アンモニウムを除去することができるようにする。再生ガスの流量は、触媒温度が数時間で塩化アンモニウムの沸点以上となるように設定すればよく、生成ガスの流量と同量としてシフト反応器におけるＳＶ（空間速度：Ｓｐａｃｅ Ｖｅｌｏｃｉｔｙ）をシフト反応時と同じ値とする必要はない。
【００２０】
ここで、通ガスとは、反応器等にガスを流すことをいう。
【００２１】
再生ガスとしては、窒素、二酸化炭素、水洗後の生成ガス、及び水蒸気を用いることができる。また、ガス化システムの下流でガスタービンを用いて発電する場合は、ガスタービンの排ガスを用いることができる。いずれのガスも、ガス化システムにおいて容易に得られるガスである。
【００２２】
窒素は、空気分離部から得られる。空気分離部は、炭素系燃料をガス化する際に酸素を用いるため、ガス化システムに設置されている。空気中の酸素及び窒素の割合は、窒素が酸素の４倍である。ガス化システムにおいては、この窒素が余剰となるため、再生ガスとして使うことが可能である。
【００２３】
二酸化炭素は、シフト反応後の生成ガスから二酸化炭素を分離するシステム構成とすることにより得られる。二酸化炭素を液体貯蔵するためには、加圧する必要があるが、その過程で高温の二酸化炭素ガスが得られるため、これを再生ガスに使用することが可能である。
【００２４】
水洗後の生成ガスは、下流の設備で利用するために、昇温する場合がある。例えば、ガスタービンに供給する場合には、水洗前のガスと熱交換して温度を上げる。そこで、この一部を抽気して蒸気により温度を上げ、シフト反応器の再生ガスとして用いることができる。再生に用いたガスは、塩化アンモニウムを除去後、抽気した部位に戻すことにより、熱損失を最小に抑えることができる。
【００２５】
水蒸気は、化学プラントや発電プラントで一般的に使われており、その一部を利用する。再生に用いた水蒸気は、塩化アンモニウムを除去した後、ガス化炉やガス化炉の出口側に供給するか、加熱してシフト反応器の入口側に供給することにより、熱損失を最小に抑えることができる。
【００２６】
シフト反応器の出口の再生ガスは、塩化アンモニウムを含むが、この再生ガスを塩化アンモニウム除去部に導き、ここでガス温度を下げ、塩化アンモニウムを吸着材の表面に析出させて除去する。あるいは、再生ガスに含まれる塩化アンモニウム、塩化水素及びアンモニアを気体状態で吸着材に吸着させてもよい。再生ガスとして水蒸気を用いた場合、温度を下げて液体とした後に濃縮結晶化装置に導き、水分を蒸発させることにより、塩化アンモニウムを固体として回収することもできる。
【００２７】
シフト反応器における生成ガスから再生ガス供給への切り替えは、シフト反応器における一酸化炭素から二酸化炭素への転化率が規定値以下となった時点で実施する。この転化率は、シフト反応器の入口側及び出口側の一酸化炭素濃度及び二酸化炭素濃度をオンラインで分析し、下記計算式（１）及び（２）により求める。
【００２８】
【数１】
2012041438.tif 000003
【００２９】
【数２】
2012041438.tif 000004
【００３０】
ここで、［ＣＯ］ｉｎは、シフト反応器の入口側の一酸化炭素濃度であり、［ＣＯ２］ｉｎは、シフト反応器の入口側の二酸化炭素濃度であり、［ＣＯ］ｏｕｔは、シフト反応器の出口側の一酸化炭素濃度であり、［ＣＯ２］ｏｕｔは、シフト反応器の出口側の二酸化炭素濃度である。
【実施例１】
【００３１】
図１は、シフト反応触媒の再生ガスとして窒素を用いるガス化システムの実施例を示す概略構成図である。
【００３２】
本図において、ガス化システムは、上流側から、ガス化部１０、熱回収部２０、脱塵部３０、シフト反応部４０、水洗塔５１、硫化水素除去部５２及び二酸化炭素除去部６０を含む構成となっている。
【００３３】
ガス化部１０は、ガス化炉１０１及び生成ガス移動部１０２を含む構成である。
【００３４】
炭素系燃料として石炭１を用い、酸化剤として空気分離部１１において空気２から分離して得られた酸素３を用い、石炭１及び酸素３をガス化部１０に供給するようになっている。石炭１は、ガス化部１０においてガス化されて一酸化炭素及び水素を主成分とするガスになる。この生成ガスは、熱回収部２０で約４００℃まで冷却され、サイクロン３１及びフィルタ３２を含む脱塵部３０に供給されて未反応石炭などの微粒子を生成ガスから分離する。
【００３５】
生成ガスは、次に、シフト反応用の水蒸気５とともにシフト反応部４０に供給され、生成ガスに含まれる一酸化炭素と水蒸気をシフト反応させて二酸化炭素及び水素に変化させる。シフト反応部４０を構成する少なくとも２系列のシフト反応器４１、４２には、鉄系やコバルト系などのシフト反応に活性を有する触媒が充填されている。触媒の種類にもよるが、おおよそ３００〜４００℃で反応を進める。
【００３６】
ここで、シフト反応後の二酸化炭素及び水素を主成分とするガスをシフトガスと呼ぶことにする。
【００３７】
シフトガスは、その後、水洗塔５１に送られ、洗浄水５３によってシアン化水素やフッ化水素などの微量ガス成分が除去される。硫化水素除去部５２においては、硫化水素吸収液５４によって硫化水素が除去される。
【００３８】
本実施例においては、二酸化炭素を除去するため、更に二酸化炭素除去部６０に通ガスして二酸化炭素吸収液６４によって二酸化炭素を除去し、製品ガス７を得るようになっている。
【００３９】
硫化水素除去部５２や二酸化炭素除去部６０には、アミン吸収液を用いる方法や、吸着材を用いる方法がある。
【００４０】
生成ガスを通ガスするシフト反応器４２においては、生成ガスに含まれる塩化水素とアンモニアとが化合して生成する塩化アンモニウムが析出する。この塩化アンモニウムの析出により、触媒の活性が低下する。一方、シフト反応器４１には、再生ガスを通ガスして塩化アンモニウムを除去しておく。
【００４１】
シフト反応器４２における一酸化炭素から二酸化炭素への転化率が規定値以下になった場合に、生成ガスの供給をもう一方のシフト反応器４１に切り替え、替わりに再生ガスとして塩化アンモニウムの沸点以上に昇温した窒素４を供給する。窒素４は、空気分離部１１で製造されたものであり、これを熱交換器１２で昇温して用いる。窒素４の流量は、触媒温度が数時間で塩化アンモニウムの沸点以上となるように設定すればよい。
【００４２】
シフト反応器４１とシフト反応器４２とに通ガスするガスは、生成ガス又は再生ガスであり、これらを交互に切り替えて少なくとも２系列のシフト反応器４１、４２のいずれかが生成ガスのシフト反応に用いられるようになっている。
【００４３】
図７は、本実施例に適用するシフト反応器の一系列を示す概略構成図である。
【００４４】
炭素系燃料をガス化して得られた生成ガスの主成分は、一酸化炭素及び水素であり、一酸化炭素の割合を減らし、水素の割合を増やすためにシフト反応を用いる。一酸化炭素の転化率の目標値は、下流のプロセスからの要求仕様によって決まる。例えば、化学合成のために高純度の水素が必要な場合や、発電プラントにおいて二酸化炭素回収率９０％以上が求められるような場合には、転化率の目標値は高くなる。
【００４５】
この転化率の目標値が高い場合、シフト反応は発熱反応であるため、水冷管を反応器内に設けるなどしてこの反応熱を回収しない場合、一系列の反応塔を複数台に分ける必要が生じることがある。これは、触媒に劣化を防止するための使用上限温度があるためである。
【００４６】
本図において、図１に示すシフト反応器４１は、一系列に３塔とした場合の構成を示している。すなわち、図１に示すシフト反応器４１は、直列に接続した反応塔４１ａ、４１ｂ、４１ｃに分割されている。そして、反応塔４１ａ、４１ｂ、４１ｃの下流側にはそれぞれ、熱交換器７５ａ、７５ｂ、７５ｃが設けてある。反応塔４１ａ、４１ｂ、４１ｃの上流側にはそれぞれ、水蒸気５及び再生ガス８を導入する配管が設けてある。反応塔４１ａの上流側には、バイパスガス９の配管も設けてある。
【００４７】
本図に示す構成により、生成ガスのシフト反応によって発生した熱を除去して生成ガス（生成ガス及びシフトガスの混合物）の温度を下げてから次の反応塔に生成ガスを供給することができる。これにより、触媒の使用温度の上限値を越えないように反応塔４１ａ、４１ｂ、４１ｃを稼働することが可能になる。
【００４８】
本図においては、それぞれの反応塔４１ａ、４１ｂ、４１ｃの入口側及び出口側において一酸化炭素濃度及び二酸化炭素濃度をガス組成分析計７１で分析するようになっている。これにより、それぞれの反応塔４１ａ、４１ｂ、４１ｃにおける転化率を求め、いずれかの転化率が規定値を下回った時点で、全ての反応塔４１ａ、４１ｂ、４１ｃの再生を開始することができる。
【００４９】
また、本図においては、反応塔４１ａの上流側及び反応塔４１ｃの下流側に圧力計７２及び流量計７４が設けてある。また、それぞれの反応塔４１ａ、４１ｂ、４１ｃの上流側及び下流側に温度計７３が設けてある。
【００５０】
シフト反応器４１、４２における転化率は、例えば、図７に示すように、シフト反応器の入口側及び出口側に設置したガス組成分析計７１で一酸化炭素及び二酸化炭素の割合を測定し、上記計算式（１）及び（２）を用いて計算する。
【００５１】
シフト反応器４１、４２への生成ガス供給と再生ガス供給の切り替えタイミングは、シフト反応器における一酸化炭素から二酸化炭素への転化率を監視する方法以外にも、シフト反応器の入口側と出口側の温度を測定し、この温度差が規定値以下となった時点で切り替える方法もある。
【００５２】
すなわち、シフト反応器４１、４２の入口側及び出口側のガス組成を測定し、シフト反応器４１、４２における一酸化炭素の二酸化炭素への転化率を計算し、生成ガスを通ガスするシフト反応器４２と、再生ガスを通ガスするシフト反応器４１とを切り替える制御部を備えてもよい。
【００５３】
また、シフト反応器４１、４２の入口側及び出口側のガス温度を測定し、これらのガス温度の差を用いて生成ガスを通ガスするシフト反応器４２と、再生ガスを通ガスするシフト反応器４１とを切り替える制御部を備えてもよい。
【００５４】
昇温した窒素４により、触媒の表面に付着した塩化アンモニウムは気化し、一部は塩化水素とアンモニアとに分離され、窒素４に同伴してシフト反応器４１、４２から流出する。シフト反応器４１、４２の下流には、図１に示す塩化アンモニウム除去部４３が設けてある。塩化アンモニウム除去部４３においてガス温度を下げ、塩化アンモニウム除去部４３に充填された吸着材の表面において、再度、塩化アンモニウムとして析出させ、窒素４から塩化アンモニウムを分離した後に煙突から系外に排出する。吸着材としては、活性炭やゼオライトなどの比表面積の大きい吸着材を用いる。
【００５５】
塩化アンモニウム除去部４３の変形例としては、気体の状態で塩化アンモニウム、塩化水素及びアンモニアを吸着させる方法もある。この場合、塩化アンモニウム除去部４３を３塔構成とし、それぞれの塔に塩化アンモニウム吸着特性に優れた吸着材、塩化水素吸着特性に優れた吸着材、及びアンモニア吸着特性に優れた吸着材を充填する構成とすることもできる。
【実施例２】
【００５６】
図２は、シフト反応触媒の再生ガスとして二酸化炭素を用いるガス化システムの実施例を示す概略構成図である。
【００５７】
炭素系燃料として石炭１を用い、酸化剤として酸素３をガス化部１０に供給する。空気分離部１１で空気から分離して得られた酸素３をガス化部１０に供給してもよい。石炭１は、ガス化部１０においてガス化されて一酸化炭素及び水素を主成分とするガスになる。この生成ガスは、熱回収部２０で約４００℃まで冷却され、サイクロン３１及びフィルタ３２を含む脱塵部３０に供給されて未反応石炭などの微粒子を生成ガスから分離する。
【００５８】
生成ガスは、次に、水蒸気５とともにシフト反応部４０に供給され、生成ガスに含まれる一酸化炭素と水蒸気をシフト反応させて二酸化炭素及び水素に変化させる（シフトガスとなる。）。シフト反応部４０を構成するシフト反応器４１、４２には、鉄系やコバルト系などのシフト反応に活性を有する触媒が充填されている。触媒の種類にもよるが、おおよそ３００〜４００℃で反応を進める。
【００５９】
シフトガスは、その後、水洗塔５１に送られ、微量ガス成分が除去される。硫化水素除去部５２においては、硫化水素が除去される。
【００６０】
本実施例においては、更に二酸化炭素吸収塔６１に通ガスして製品ガス３を得るようになっている。
【００６１】
シフト反応器４１、４２においては、生成ガスに含まれる塩化水素とアンモニアとが化合して生成する塩化アンモニウムが析出する。この塩化アンモニウムの析出により、触媒の活性が低下する。シフト反応器４２における一酸化炭素から二酸化炭素への転化率が規定値以下になった場合に、生成ガスの供給をもう一方のシフト反応器４１に切り替え、替わりに再生ガスとして二酸化炭素６５を供給する。この二酸化炭素６５は、二酸化炭素吸収塔６１で吸収されたものであり、二酸化炭素吸収塔６１から吸収液が吸収液再生塔６２に送られて吸収液再生塔６２で分離されたものである。ここで、二酸化炭素吸収塔６１及び吸収液再生塔６２をまとめて二酸化炭素回収部１６０と呼ぶことにする。
【００６２】
二酸化炭素は、液体として二酸化炭素貯蔵部１７０に貯蔵するために、圧縮機６３ａ、６３ｂ、６３ｃでおおよそ８〜１１ＭＰａまで加圧される。この場合に、圧縮により二酸化炭素の温度が上昇するため、圧縮機６３ａ、６３ｂ、６３ｃが複数台設置してある。圧縮されて塩化アンモニウムの沸点以上に昇温された二酸化炭素６５をシフト反応触媒の再生に用いる。二酸化炭素６５の流量は、触媒温度が数時間で塩化アンモニウムの沸点以上となるように設定すればよい。
【００６３】
昇温した二酸化炭素６５により、触媒の表面に付着した塩化アンモニウムは気化し、一部は塩化水素とアンモニアとに分離され、二酸化炭素６５に同伴してシフト反応器４１、４２から流出する。シフト反応器４１、４２の下流には、塩化アンモニウム除去部４３を設けてある。塩化アンモニウム除去部４３においてガス温度を下げ、塩化アンモニウム除去部４３に充填された吸着材の表面において、再度、塩化アンモニウムとして析出させ、二酸化炭素６５から塩化アンモニウムを分離し、吸収液再生塔６２の出口側に戻す。二酸化炭素６５から塩化アンモニウムを除去する方法としては、塩化アンモニウム、塩化水素及びアンモニアを気体のまま吸着材に吸着させて除去する方法もある。
【実施例３】
【００６４】
図３は、シフト反応触媒の再生ガスとして二酸化炭素及び水素を主成分とするシフトガスを用いるガス化システムの実施例を示す概略構成図である。
【００６５】
炭素系燃料として石炭１を用い、酸化剤として酸素３をガス化部１０に供給する。空気分離部１１で空気２から分離して得られた酸素３をガス化部１０に供給してもよい。石炭１は、ガス化部１０においてガス化されて一酸化炭素及び水素を主成分とするガスになる。この生成ガスは、熱回収部２０で約４００℃まで冷却され、サイクロン３１及びフィルタ３２を備えた脱塵部３０に送られ、未反応石炭などの微粒子が分離される。
【００６６】
生成ガスは、次に、水蒸気５とともにシフト反応部４０に送られ、生成ガスに含まれる一酸化炭素と水蒸気をシフト反応させて二酸化炭素及び水素に変化させる（シフトガスとなる。）。シフトガスは、その後、水洗塔５１に送られ、微量ガス成分が除去される。硫化水素除去部５２においては、硫化水素が除去される。
【００６７】
シフト反応器４１、４２においては、生成ガスに含まれる塩化水素とアンモニアとが化合して生成する塩化アンモニウムが析出する。この塩化アンモニウムの析出により、触媒の活性が低下する。シフト反応器４２における一酸化炭素から二酸化炭素への転化率が規定値以下になった場合に、生成ガスの供給をもう一方のシフト反応器４１に切り替え、替わりに硫化水素除去部５２の出口側の還流ガス８を再生ガスとし、還流ガス昇温用の熱交換器４４で塩化アンモニウムの沸点以上に昇温してシフト反応部４０に供給する。還流ガス８の流量は、触媒温度が数時間で塩化アンモニウムの沸点以上となるように設定すればよい。
【００６８】
昇温した還流ガス８により、触媒の表面に付着した塩化アンモニウムは気化し、一部は塩化水素とアンモニアとに分離され、還流ガス８に同伴してシフト反応器４１、４２から流出する。シフト反応器４１、４２の下流には、塩化アンモニウム除去部４３を設けてある。塩化アンモニウム除去部４３においてガス温度を下げ、塩化アンモニウム除去部４３に充填された吸着材の表面において、再度、塩化アンモニウムとして析出させ、還流ガス８から塩化アンモニウムを分離した後に、圧縮機４５で加圧し、硫化水素除去部５２の出口配管に戻す。還流ガス８から塩化アンモニウムを除去する方法としては、塩化アンモニウム、塩化水素及びアンモニアを気体のまま吸着材に吸着させて除去する方法もある。
【実施例４】
【００６９】
図４は、シフト反応触媒の再生ガスとして水蒸気を用いるガス化システムの実施例を示す概略構成図である。
【００７０】
炭素系燃料として石炭１を用い、酸化剤として酸素３をガス化部１０に供給する。空気分離部１１で空気２から分離して得られた酸素３をガス化部１０に供給してもよい。石炭１は、ガス化部１０においてガス化されて一酸化炭素及び水素を主成分とするガスになる。この生成ガスは、熱回収部２０で約４００℃まで冷却され、サイクロン３１及びフィルタ３２を含む脱塵部３０に供給されて未反応石炭などの微粒子を生成ガスから分離する。
【００７１】
生成ガスは、次に、水蒸気５とともにシフト反応部４０に供給され、生成ガスに含まれる一酸化炭素と水蒸気５をシフト反応させて二酸化炭素及び水素に変化させる（シフトガスとなる。）。シフトガスは、その後、水洗塔５１に送られ、微量ガス成分が除去される。硫化水素除去部５２においては、硫化水素が除去される。
【００７２】
シフト反応器４１、４２においては、生成ガスに含まれる塩化水素とアンモニアとが化合して生成する塩化アンモニウムが析出する。この塩化アンモニウムの析出により、触媒の活性が低下する。シフト反応器４２における一酸化炭素から二酸化炭素への転化率が規定値以下になった場合に、生成ガスの供給をもう一方のシフト反応器４１に切り替え、替わりに塩化アンモニウムの沸点以上の温度の水蒸気６を再生ガスとしてシフト反応部４０に供給する。水蒸気６の流量は、触媒温度が数時間で塩化アンモニウムの沸点以上となるように設定すればよい。
【００７３】
水蒸気６により、触媒の表面に付着した塩化アンモニウムは気化し、一部は塩化水素とアンモニアとに分離され、水蒸気６に同伴してシフト反応器４１、４２から流出する。シフト反応器４１、４２の下流には、塩化アンモニウム除去部４３を設けてある。塩化アンモニウム除去部４３においてガス温度を下げ、塩化アンモニウム除去部４３に充填された吸着材の表面において、再度、塩化アンモニウムとして析出させ、水蒸気６から塩化アンモニウムを分離する。二酸化炭素から塩化アンモニウムを除去する方法としては、塩化アンモニウム、塩化水素及びアンモニアを気体のまま吸着材に吸着させて除去する方法もある。
【００７４】
この水蒸気６は、ガス化部１０あるいはガス化部１０の下流側に供給する。ガス化部１０あるいはガス化部１０の出口より下流側の熱回収部は９００℃以上の高温であるため、無触媒でもシフト反応が進行する。その分、シフト反応器４１、４２における一酸化炭素から二酸化炭素への転化率の設定を下げることができるため、シフト反応器４１、４２における水蒸気６の使用量を削減することができる。
【００７５】
塩化アンモニウムを除去した水蒸気６は、熱交換器４５によって昇温し、シフト反応器４１、４２の入口側に供給してもよい。
【実施例５】
【００７６】
図５は、シフト反応触媒の再生ガスとして水蒸気を用いるガス化システムの他の実施例を示す概略構成図である。
【００７７】
炭素系燃料として石炭１を用い、酸化剤として酸素３をガス化部１０に供給する。空気分離部１１で空気２から分離して得られた酸素３をガス化部１０に供給してもよい。石炭１は、ガス化部１０においてガス化されて一酸化炭素及び水素を主成分とするガスになる。この生成ガスは、熱回収部２０で約４００℃まで冷却され、サイクロン３１及びフィルタ３２を含む脱塵部３０に供給されて未反応石炭などの微粒子を生成ガスから分離する。
【００７８】
次に、生成ガスは、水蒸気５とともにシフト反応部４０に供給され、生成ガスに含まれる一酸化炭素と水蒸気をシフト反応させて二酸化炭素及び水素に変化させる（シフトガスとなる。）。シフトガスは、その後、水洗塔５１に送られ、微量ガス成分が除去される。硫化水素除去部５２においては、硫化水素が除去される。
【００７９】
シフト反応器４１、４２においては、生成ガスに含まれる塩化水素とアンモニアとが化合して生成する塩化アンモニウムが析出する。この塩化アンモニウムの析出により、触媒の活性が低下する。シフト反応器４２における一酸化炭素から二酸化炭素への転化率が規定値以下になった場合に、生成ガスの供給をもう一方のシフト反応器４１に切り替え、替わりに塩化アンモニウムの沸点以上の温度の水蒸気６を再生ガスとしてシフト反応部４０に供給する。水蒸気６の流量は、触媒温度が数時間で塩化アンモニウムの沸点以上となるように設定すればよい。
【００８０】
水蒸気６により、触媒の表面に付着した塩化アンモニウムは気化し、一部は塩化水素とアンモニアとに分離され、水蒸気６に同伴してシフト反応器４１、４２から流出する。水蒸気６は、熱交換器４６で冷却され、液体として濃縮結晶化部４７に供給される。濃縮結晶化部４７において水溶液中の水分のみを蒸発させ、塩化アンモニウムを固体として回収する。膜分離による水溶液の濃縮も可能である。
【実施例６】
【００８１】
図６は、シフト反応触媒の再生ガスとしてガスタービンの排ガスを用いるガス化システムの他の実施例を示す概略構成図である。
【００８２】
炭素系燃料として石炭１を用い、酸化剤として酸素３をガス化部１０に供給する。空気分離部１１で空気２から分離して得られた酸素３をガス化部１０に供給してもよい。石炭１は、ガス化部１０においてガス化されて一酸化炭素及び水素を主成分とするガスになる。この生成ガスは、熱回収部２０で約４００℃まで冷却され、サイクロン３１及びフィルタ３２を含む脱塵部３０に供給されて未反応石炭などの微粒子を生成ガスから分離する。
【００８３】
次に、生成ガスは、水蒸気５とともにシフト反応部４０に供給され、生成ガスに含まれる一酸化炭素と水蒸気をシフト反応させて二酸化炭素及び水素に変化させる（シフトガスとなる。）。シフトガスは、その後、水洗塔５１に送られ、微量ガス成分が除去される。硫化水素除去部５２において、硫化水素が除去される。
【００８４】
さらに、シフトガスは、二酸化炭素吸収塔６０に送られ、水素を主成分とする製品ガス７とされ、ガスタービン６６の燃料として発電に利用される。ガスタービン６６の排ガスの顕熱は、熱回収ボイラ６７において水蒸気として回収され、蒸気タービン（図示していない）を駆動するコンバインドサイクル発電とすることにより、高い発電効率を得ることができる。ここで、熱回収ボイラ６７は、ガスタービン６６の排ガスと水とを熱交換することにより水蒸気を発生させる熱交換器である。
【００８５】
この発電システムは、ガスタービンの上流側で二酸化炭素を回収しているため、ガスタービン排ガス６８の主成分は、水蒸気及び窒素であり、地球温暖化防止に寄与するものである。
【００８６】
シフト反応器４１、４２においては、生成ガスに含まれる塩化水素とアンモニアとが化合して生成する塩化アンモニウムが析出する。この塩化アンモニウムの析出により、触媒の活性が低下する。シフト反応器４２における一酸化炭素から二酸化炭素への転化率が規定値以下になった場合に、生成ガスの供給をもう一方のシフト反応器４１に切り替え、替わりに再生ガスとしてガスタービン６６の出口側、あるいは熱回収ボイラ６７から、塩化アンモニウムの沸点以上の温度のガスタービン排ガス６８の一部を抽気して供給する。ガスタービン排ガス６８の流量は、触媒温度が数時間で塩化アンモニウムの沸点以上となるように設定すればよい。
【００８７】
ガスタービン排ガス６８により、触媒の表面に付着した塩化アンモニウムは気化し、一部は塩化水素とアンモニアとに分離され、ガスタービン排ガス６８に同伴してシフト反応器４１、４２から流出する。シフト反応器４１、４２の下流には、塩化アンモニウム除去部４３を設け、ガス温度を下げて塩化アンモニウム除去部４３に充填された吸着材の表面に、再度、塩化アンモニウムとして析出させ、ガスタービン排ガス６８から塩化アンモニウムを分離する。二酸化炭素から塩化アンモニウムを除去する方法としては、塩化アンモニウム、塩化水素及びアンモニアを気体のまま吸着材に吸着させて除去する方法もある。
【００８８】
塩化アンモニウムを除去された排ガスは、ガスタービン６６の下流の熱回収ボイラ６７に戻す。熱回収ボイラ６７にガスタービン排ガスを戻すことにより、ガスタービン排ガス６８が有する顕熱を熱回収ボイラ６７で回収することが可能であり、熱損失を最小限に抑えることができる。
【符号の説明】
【００８９】
１：石炭、２：空気、３：酸素、４：窒素、５：水蒸気、６：水蒸気、７：製品ガス、８：再生ガス、９：バイパスガス、１０：ガス化部、１１：空気分離部、２０：熱回収部、３０：脱塵部、３１：サイクロン、３２：フィルタ、４０：シフト反応部、４１、４２：シフト反応器、４３：塩化アンモニウム除去部、４４：熱交換器、４５：圧縮機、４６：熱交換器、４７：濃縮結晶化部、５１：水洗塔、５２：硫化水素除去部、５３：洗浄水、５４：硫化水素吸収液、６０：二酸化炭素除去部、６１：二酸化炭素吸収塔、６２：吸収液再生塔、６３ａ、６３ｂ、６３ｃ：圧縮機、６４：二酸化炭素吸収液、６５：二酸化炭素、６６：ガスタービン、６７：熱回収ボイラ、６８：ガスタービン排ガス、７１：ガス組成分析計、７２：圧力計、７３：温度計、７４：流量計、１６０：二酸化炭素回収部、１７０：二酸化炭素貯蔵部。
【図１】
2012041438.tif 000005
【図２】
2012041438.tif 000006
【図３】
2012041438.tif 000007
【図４】
2012041438.tif 000008
【図５】
2012041438.tif 000009
【図６】
2012041438.tif 000010
【図７】
2012041438.tif 000011